(57)【要約】【課題】情報を漏れなく収集して通信システムとしての信頼性を向上させる。【解決手段】通信装置２１は少なくとも２つの独立した回線３１，３２に接続され、ネットワーク２５上で発生した事象に基づいて同報の電文を回線３２，３２毎に送信し、監視装置１０は独立した回線３１，３２に接続され、通信装置２１から回線３１，３２毎に同報の電文を受信し、先に受信した電文を記憶し、後に受信した電文を破棄すると共に、先に受信した電文に基づいてネットワーク２５上で発生した事象を監視する。【選択図】図１
2011114366.tif 000002
【特許請求の範囲】
【請求項１】
ネットワーク上の被監視装置と少なくとも２つの独立した回線を介して接続され、上記被監視装置から上記回線毎に同報の電文を受信し、後述のデータベースを検索して先に受信した電文が記憶されている場合、後に受信した電文を破棄する通信部と、
上記通信部が先に受信した電文を記憶するデータベースと、
上記通信部が先に受信した電文に基づいて上記ネットワーク上で発生した事象を監視する制御部とを備えた監視装置。
【請求項２】
少なくとも２つの独立した回線に接続され、ネットワーク上で発生した事象に基づいて同報の電文を上記回線毎に送信する被監視装置と、
上記独立した回線に接続され、上記被監視装置から上記回線毎に同報の電文を受信し、先に受信した電文を記憶し、後に受信した電文を破棄すると共に、上記先に受信した電文に基づいて上記ネットワーク上で発生した事象を監視する監視装置とを備えた監視システム。
【請求項３】
上記監視装置を複数備え、各監視装置がそれぞれ少なくとも２つの独立した回線を介して上記被監視装置に接続されていることを特徴とする請求項２記載の監視システム。
【請求項４】
それぞれ独立した回線に接続され、ネットワーク上で発生した事象に基づいて同報の電文を上記回線毎に送信する複数の被監視装置と、
上記独立した回線に接続され、上記複数の被監視装置から上記回線毎に同報の電文を受信し、先に受信した電文を記憶し、後に受信した電文を破棄すると共に、上記先に受信した電文に基づいて上記ネットワーク上で発生した事象を監視する監視装置とを備えた監視システム。
【発明の詳細な説明】
【技術分野】
【０００１】
この発明は、例えば通信システム内の被監視装置を監視する監視装置及び監視システムに関するものである。
【背景技術】
【０００２】
通信システムには、各装置の通信品質、ネットワーク上の各装置の故障状況の把握及び通信システムの設定、制御を行うための監視装置が含まれている。通信システムは広域に配置されるため、監視装置は通信システム内の各装置の設置場所とは離れて設置される遠隔監視装置であることが多い。したがって、監視装置は実際に通信を行っている各通信装置と公衆回線や専用回線により接続されており、監視装置と各通信装置との間にはゲートウエイと呼ばれる装置が設けられている。ゲートウエイはネットワーク内の各通信装置で収集された通信品質、故障状況などの情報を集約して監視装置へ送信している。また、監視装置からの制御命令はゲートウエイを経由し、制御対象となる各装置へ送信される。
【０００３】
通信システム全体の信頼性を向上させるためには、監視装置が通信システム内の情報を漏れなく収集する必要がある。例えば特許文献１には、通信システムとは異なるが、配信された電文の欠落を防止する構成が開示されている。
特許文献１によれば、受信装置（監視装置）は２台の受信手段を備えて二重化して構成されている。受信装置は配信元からマルチキャスト配信された通番付きの電文を受信し、一方の受信手段で受信した電文の通番をチェックして電文の欠落を検知した場合、他方の受信手段に欠落した電文を要求して補完し、電文を回復して電文の欠落を防止している。
【先行技術文献】
【特許文献】
【０００４】
【特許文献１】特開２００２−２０４２８３号公報
【発明の概要】
【発明が解決しようとする課題】
【０００５】
しかしながら、上述した従来の構成を監視装置に採用すると、例えば回線が切断状態となりゲートウエイと監視装置との間の通信が中断した場合、監視装置は二重化した受信手段のいずれにおいても電文を受信することができず、相互に電文を補完することができなくなる。その結果、通信システム内の情報を漏れなく収集することができなくなり、通信システムとしての信頼性が低下するという課題があった。
【０００６】
この発明は、上述した課題を解決するためになされたものであり、情報を漏れなく収集して通信システムとしての信頼性を向上させる監視装置及び監視システムを提供することを目的とする。
【課題を解決するための手段】
【０００７】
この発明に係る監視装置は、ネットワーク上の被監視装置と少なくとも２つの独立した回線を介して接続され、被監視装置から回線毎に同報の電文を受信し、後述のデータベースを検索して先に受信した電文が記憶されている場合、後に受信した電文を破棄する通信部と、通信部が先に受信した電文を記憶するデータベースと、通信部が先に受信した電文に基づいてネットワーク上で発生した事象を監視する制御部とを備えたものである。
【発明の効果】
【０００８】
この発明に係る監視装置によれば、被監視装置と少なくとも２つの独立した回線を介して接続され、回線毎に被監視装置から電文を受信するように構成したので、一方の回線に異常が発生して通信不可能になった場合、他方の回線により電文を欠落無く受信することができる。その結果、情報を漏れなく収集して通信システムとしての信頼性を向上させることができる。
【図面の簡単な説明】
【０００９】
【図１】この発明の実施の形態１による監視システムの全体構成を示す図である。
【図２】この発明の実施の形態１による監視装置の構成を示す図である。
【図３】この発明の実施の形態２による監視システムの全体構成を示す図である。
【図４】この発明の実施の形態２による監視装置の構成を示す図である。
【図５】この発明の実施の形態３による監視システムの全体構成を示す図である。
【発明を実施するための形態】
【００１０】
以下、この発明の実施の形態を、図面を参照しながら詳細に説明する。
実施の形態１．
監視システム１は、図１に示すように監視装置１０、通信ネットワーク２０、回線３１，３２で構成されており、監視装置１０と通信ネットワーク２０との間には回線３１と回線３２が独立して配されており、監視装置１０と通信ネットワーク２０を結ぶ回線を二重化して接続している。即ち、監視システム１は並列に独立した回線３１と回線３２により冗長化した構成である。
【００１１】
通信ネットワーク２０は通信装置（被監視装置）２１，２１´をネットワーク２５で接続したリング型の通信システムである。通信装置２１は回線３１又は回線３２を介して通信ネットワーク２０と監視装置１０との間でデータ通信を行うゲートウエイ機能を有しており、全ての通信装置２１´から通信ネットワーク２０上で発生した事象の情報を収集して電文に変換すると共にその電文に通番を付与し、同報の電文として独立した回線３１，３２を介して監視装置１０へ送信する。なお、ここでは通信ネットワーク２０の一例としてリング型の通信システムを示しているが、通信装置２１がネットワーク２５で接続されている全ての通信装置２１´から情報を収集できるような構成であればよい。
【００１２】
監視装置１０は回線３１又は回線３２を介して通信装置２１と接続することで通信ネットワーク２０と接続しており、独立した回線３１，３２を介して回線３１，３２毎に通信装置２１から同報の電文を受信する。監視装置１０は、通信装置２１から送信された同報の電文を受信して通番付きの電文として登録する。また、監視装置１０は受信した電文に基づいて通信ネットワーク２０上で発生した事象を監視すると共に、制御信号を生成して通信ネットワーク２０上の制御を行うように構成されている。
【００１３】
次に監視装置１０の構成について説明する。監視装置１０は、図２に示すように通信部１０１、データベース１０２、制御部１０３を有しており、通信部１０１は電文受信部１０１ａ、送信部１０１ｂで構成されている。
【００１４】
通信部１０１は、上述した図１に示す通信装置２１との間で少なくとも２つの独立した回線３１、回線３２を介してデータの送受信を行うよう二重化して接続されており、監視装置１０と通信装置２１との間の通信機能を有する。
【００１５】
電文受信部１０１ａは上述した図１に示す通信装置２１から回線３１，３２毎に同報の電文を受信し、受信した同報の電文の通番を一意なキーとしてデータベース１０２内を検索して先に受信した電文が記憶されているか否かを判定する。電文受信部１０１ａは、データベース１０２に同一の通番が登録されている場合は先に受信した電文が記憶されていると判定し、後に受信した電文を破棄するように構成されており、同一の通番が登録されていない場合は電文が先に受信されていないと判定し、通番と通番に対応する電文をデータベース１０２へ出力すると共に、電文を制御部１０３へ出力する。
【００１６】
データベース１０２は電文受信部１０１ａから入力した電文を先に受信した電文として通番と共に記憶する記憶部として機能している。制御部１０３は電文受信部１０１ａから入力した電文に基づいて通信ネットワーク２０のネットワーク２５上で発生した事象を監視すると共に、電文受信部１０１ａから入力した電文を処理してネットワーク２５上で発生した事象に対応する制御処理を行うための制御信号を生成する。
【００１７】
次に監視システム１及び監視装置１０の動作について説明する。
例えば通信ネットワーク２０のネットワーク２５上の通信装置２１´で監視装置１０に伝達すべき事象が発生した場合、通信装置２１´は発生した事象についての情報を通信装置２１へ送信する。通信装置２１は発生した事象についての情報を通信装置２１´から収集して電文に変換し、電文に通番を付与する。通信装置２１は回線３１，３２のそれぞれに同じ通番の電文を同報の電文として送出する。
【００１８】
監視装置１０の通信部１０１の電文受信部１０１ａは、通信装置２１から回線３１を経由して通番付きの電文を受信すると、受信した電文の通番をキーにしてデータベース１０２内を検索する。電文受信部１０１ａは、データベース１０２に同一の通番が登録されていない場合、電文を先に受信していないと判定して、通番とその通番に対応する電文をデータベース１０２へ出力する。電文受信部１０１ａは続けて電文を制御部１０３へ出力する。
【００１９】
データベース１０２は電文受信部１０１ａから入力した通番とその通番に対応する電文を先に受信した電文として記録する。制御部１０３は電文受信部１０１ａから入力した電文に基づいて処理を行ってネットワーク２５上で発生した事象を監視すると共に、電文に基づいて処理を行って制御信号を生成し、生成した制御信号を通信部１０１の送信部１０１ｂへ出力する。送信部１０１ｂは制御部１０３から入力した制御信号を回線３１又は回線３２を経由して通信ネットワーク２０のゲートウエイとしての通信装置２１に送信する。
【００２０】
続いて、通信部１０１の電文受信部１０１ａは、通信装置２１から回線３２を経由して通番付きの電文を受信すると、受信した電文の通番をキーにしてデータベース１０２を検索する。電文受信部１０１ａは、データベース１０２に同一の通番が登録されている場合、電文が先に登録されていると判定して、受信した電文を破棄する。
【００２１】
通信装置２１は、監視装置１０から回線３１を介して制御信号を受信すると、ゲートウエイ機能により通信装置２１，２１´で認識可能なデータ形式に変換し、事象に関する情報の送信元の通信装置２１´に制御命令を送信する。通信装置２１´は、通信装置２１から制御命令を受信すると、制御命令に応じて問題ある事象から回復するための制御処理を行う。
【００２２】
なお、ここでは、通信装置２１から回線３１を経由した電文が先に到達した場合について説明したが、通信装置２１から回線３２を経由した電文が先に到達した場合、通信装置２１から回線３２を経由した電文はデータベース１０２に登録されると共に制御部１０３に出力され、通信装置２１から回線３１を経由した電文は破棄される。制御部１０３は入力した電文に基づいて制御信号を生成して出力し、送信部１０１ｂは回線３２又は回線３１を経由して通信装置２１に制御信号を送信する。
【００２３】
ここで、監視装置１０は、回線３１において異常が発生して監視装置１０と通信装置２１との間の通信が中断した場合、電文受信部１０１ａが通信装置２１から回線３２を介して通番付き電文を受信する。また、監視装置１０は、回線３２において異常が発生して監視装置１０と通信装置２１と間の通信が中断した場合、電文受信部１０１ａが通信装置２１から回線３１を介して通番付き電文を受信する。その結果、監視装置１０は欠落無く電文を受信し、電文に基づいて通信装置２１，２１´を制御する処理を継続することができる。
【００２４】
以上のように、この発明の実施の形態１によれば、監視装置１０の電文受信部１０１ａと通信ネットワーク２０のゲートウエイとしての通信装置２１との間にそれぞれ独立した回線３１、回線３２を設け、監視装置１０の電文受信部１０１ａは回線３１を介して通信装置２１と接続すると共に回線３２を介して通信装置２１と接続し、電文受信部１０１ａが同報の電文を受信してデータベース１０２に登録されていない通番付き電文を出力し、データベース１０２が電文受信部１０１ａから入力した通番と電文を登録し、制御部１０３がデータベース１０２に登録された電文に基づいて監視すると共に電文を処理して制御信号を生成して出力し、送信部１０１ｂが制御部１０３から入力した制御信号を通信装置２１へ送信するように構成したので、回線３１又は回線３２において異常が発生して通信が中断した場合にも相互に電文を補完を行うことができ、通信システム内の情報を漏れなく収集することができる。その結果、通信システム全体の信頼性を向上させることができる。
【００２５】
また、実施の形態１によれば、監視装置１０の電文受信部１０１ａが少なくとも２つの並列した回線３１，３２を介して通信装置２１と接続されているので、監視装置を２つ以上設置することなく監視の二重化を実現できる。その結果、機器の省スペース化を実現することができる。
【００２６】
実施の形態２．
実施の形態１においては、監視装置１０と通信装置２１との間の回線を冗長化した構成について説明したが、実施の形態２は、実施の形態１の監視装置を複数備えて冗長化した構成について図３、図４により説明する。なお、実施の形態１と同様の構成については同一の符号を付して詳細な説明を省略する。
【００２７】
監視システム１は、図３に示すように監視装置１１，１２、通信ネットワーク２０、回線３３，３４，３５，３６で構成されている。監視装置１１と通信ネットワーク２０との間にはそれぞれ独立した回線３３，３４が並列して設けられ、監視装置１２と通信ネットワーク２０との間にはそれぞれ独立した回線３５，３６が並列して設けられている。監視システム１は回線３３，３４，３５，３６で冗長化すると共に、監視装置１１と監視装置１２で冗長化している。
【００２８】
通信ネットワーク２０は通信装置（被監視装置）２１，２１´をネットワーク２５で接続したリング型の通信システムである。通信装置２１は回線３３又は回線３４を介して通信ネットワーク２０と監視装置１１の間でデータ通信を行うと共に，回線３５又は回線３６を介して通信ネットワーク２０と監視装置１２との間でデータ通信を行うゲートウエイ機能を有しており、ネットワーク２５に接続されている各通信装置２１´から情報を収集して電文に変換すると共に電文に通番を付与し、通番付きの電文を監視装置１１，１２へ送信する。なお、ここでは監視装置１１，１２を備えた構成について示しているが、少なくとも２台以上の複数備えた構成にしてもよい。
【００２９】
監視装置１１はそれぞれ独立した回線３３又は回線３４を介して通信装置２１と接続しており、回線３３，３４を介して回線３３，３４毎に通信装置２１から送信された同報の電文を受信する。監視装置１１は、通信装置２１から送信された同報の電文を受信し、先に受信した電文を登録する。また、監視装置１１は受信した電文に基づいて通信ネットワーク２０上で発生した事象を監視すると共に、制御信号を生成して通信ネットワーク２０上の制御を行うように構成されている。
【００３０】
監視装置１２はそれぞれ独立した回線３５又は回線３６を介して通信装置２１と接続しており、回線３５，３６を介して回線３５，３６毎に通信装置２１から送信された同報の電文を受信する。監視装置１２は、通信装置２１から送信された同報の電文を受信し、先に受信した電文を登録する。また、監視装置１２は受信した電文に基づいて通信ネットワーク２０上で発生した事象を監視すると共に、制御信号を生成して通信ネットワーク２０上の制御を行うように構成されている。
【００３１】
監視装置１１，１２の構成は実施の形態１で説明した図２と同様であり、図４に示すように通信部１０１、データベース１０２、制御部１０３で構成されており、通信部１０１は電文受信部１０１ａ、送信部１０１ｂで構成されている。監視装置１１の電文受信部１０１ａは、それぞれ独立した回線３３，３４により上述した図３に示す通信装置２１に接続されており、監視装置１２の電文受信部１０１ａは、それぞれ独立した回線３５，３６により上述した図３に示す通信装置２１に接続されている。
【００３２】
次に監視システム１及び監視装置１１，１２の動作について説明する。
例えば通信ネットワーク２０上の通信装置２１´で監視装置１０に伝達すべき事象が発生した場合、通信装置２１´は発生した事象についての情報を通信装置２１へ送信する。通信装置２１は発生した事象についての情報を通信装置２１´から収集して電文に変換し、電文に通番を付与する。通信装置２１は回線３３，３４，３５，３６のそれぞれに同じ通番の電文を同報の電文として送出する。
【００３３】
監視装置１１は通信装置２１からそれぞれ独立した回線３３，３４を介して同報の電文を受信し、監視装置１２は通信装置２１からそれぞれ独立した回線３５と回線３６を介して同報の電文を受信する。監視装置１１と監視装置１２は、それぞれ上述した実施の形態１の監視装置１０と同様に動作し、それぞれ先に受信した電文をデータベース１０２に記憶する。また、監視装置１１と監視装置１２は、それぞれ先に受信した電文に基づいて処理を行って制御信号を生成する。監視装置１１は回線３３又は回線３４を介して通信装置２１に制御信号を送信し、監視装置１２は回線３５又は回線３６を介して通信装置２１に制御信号を送信する。
【００３４】
通信装置２１は、監視装置１１又は監視装置１２から制御信号を受信すると、先に受信した制御信号を通信装置２１，２１´で認識可能なデータ形式に変換し、事象に関する情報の送信元の通信装置２１´に制御命令を送信する。通信装置２１´は、通信装置２１から制御命令を受信すると、制御命令に応じて制御処理を行う。
【００３５】
ここで、回線３３，３４において異常が発生して監視装置１１と通信装置２１との間の通信が中断した場合、監視装置１２は回線３５又は回線３６を介して通信装置２１から電文を受信する。また、回線３５，３６において異常が発生して監視装置１２と通信装置２１との通信が中断した場合、監視装置１１は回線３３又は回線３４を介して通信装置２１から電文を受信する。また、監視装置１１又は監視装置１２において異常が発生した場合にも、監視装置１１，１２のいずれか一方で通信装置２１から電文を受診することができる。その結果、監視装置１１と監視装置１２を有する監視システム１は欠落無く電文を受信し、電文に基づいて通信装置２１，２１´を制御する処理を継続することができる。
【００３６】
以上のように、この発明の実施の形態２によれば、監視装置１１の電文受信部１０１ａと通信ネットワーク２０のゲートウエイとしての通信装置２１との間に回線３３、回線３４を設け、監視装置１２の電文受信部１０１ａと通信ネットワーク２０のゲートウエイとしての通信装置２１との間に回線３５、回線３６を設けたので、回線３３，３４又は回線３５，３６において通信が中断した場合にも相互に電文を補完を行うことができ、通信システム内の情報を漏れなく収集することができる。その結果、通信システム全体の信頼性をさらに向上させることができる。
【００３７】
実施の形態３．
実施の形態１においては、監視装置１０とゲートウエイとしての通信装置２１の間に回線３１と回線３２を設けて回線を冗長化した構成について説明したが、実施の形態３では監視装置１０が冗長化された回線を介して複数の通信装置と接続する構成について図５により説明する。なお、実施の形態１と同様の構成については同一の符号を付し、その詳細な説明を省略する。
【００３８】
監視システム１は、図５に示すように監視装置１０、通信ネットワーク２０、回線３７，３８で構成されており、通信ネットワーク２０は通信装置（被監視装置）２１，２１´、２２がネットワーク２５により接続されたリング型の通信システムである。監視装置１０の構成は上述した実施の形態１の監視装置１０と同じである。
【００３９】
通信装置２１と通信装置２２は通信ネットワーク２０のゲートウエイとして機能する。通信装置２１は、ネットワーク２５に接続されている全ての通信装置２１´から情報を収集して電文に変換すると共に電文に通番を付与し、通番付きの電文を回線３７を介して監視装置１０へ送信する。通信装置２２は、ネットワーク２５に接続されている全ての通信装置２１´から情報を収集して電文に変換すると共に電文に通番を付与し、通番付きの電文を回線３８を介して監視装置１０へ送信する。即ち、通信装置２１，２２は監視装置１０へ同報の電文を送信するように構成されている。
【００４０】
監視装置１０と通信ネットワーク２０の通信装置２１との間は回線３７で接続されており、監視装置１０と通信ネットワーク２０の通信装置２２との間は回線３８で接続されている。即ち、監視システム１は通信ネットワーク２０のゲートウエイとしての通信装置２１，２２により冗長化されている。
【００４１】
次に実施の形態３の監視システム１及び監視装置１０の動作について説明する。
例えば通信ネットワーク２０上の通信装置２１´で監視装置１０に伝達すべき事象が発生した場合、通信装置２１´は発生した事象についての情報を通信装置２１と通信装置２２へ送信する。
【００４２】
通信装置２１は発生した事象についての情報を通信装置２１´から収集して電文に変換し、電文に通番を付与する。通信装置２１は回線３７を介して監視装置１０に通番を付与した電文を通番付き電文として送出する。通信装置２２は発生した事象についての情報を通信装置２１´から収集して電文に変換し、電文に通信装置２１が付与した同じ通番を付与する。通信装置２２は回線３８を介して監視装置１０に同じ通番の電文を通番付き電文として送出する。
【００４３】
監視装置１０は通信装置２１から回線３７を介して通番付きの電文を受信し、通信装置２２から回線３８を介して同じ通番付きの電文を受信する。即ち、監視装置１０は、通信装置２１，２２から回線３７，３８を介して同報の電文を受信する。
監視装置１０は、上述した実施の形態１の監視装置１０と同様に動作してデータベース１０２に先に受信した通番付き電文を登録すると共に制御部１０３に出力し、制御部１０３は電文に基づいて制御信号を出力する。監視装置１０が回線３８を介して受信した電文よりも回線３７を介して受信した電文を先に受信した場合、監視装置１０の送信部１０１ｂは回線３７を介して通信装置２１に制御信号を送信する。また、監視装置１０が回線３７を介して受信した電文よりも回線３８を介して受信した電文を先に受信した場合、監視装置１０の送信部１０１ｂは回線３８を介して通信装置２２に制御信号を送信する。
【００４４】
ここで、回線３７において異常が発生して監視装置１０と通信装置２１との間の通信が中断した場合、監視装置１０は回線３８を介して通信装置２２から電文を受信する。また、回線３８において異常が発生して監視装置１０と通信装置２２との通信が中断した場合、監視装置１０は回線３７を介して通信装置２１から電文を受信する。また、監視装置１０は、ゲートウエイとしての通信装置２１又は通信装置２２において異常が発生して通信が中断した場合にも通信装置２１，２２のいずれか一方から電文を受信することができる。その結果、監視装置１０は欠落無く電文を受信し、電文に基づいて通信装置２１，２１´，２２を制御する処理を継続することができる。
【００４５】
以上のように、この発明の実施の形態３によれば、監視装置１０と通信ネットワーク２０のゲートウエイとしての通信装置２１との間に回線３７を設け、監視装置１０と通信ネットワーク２０のゲートウエイとしての通信装置２２との間に回線３８を設けたので、実施の形態１と同様の効果が得られると共に、少なくとも２つの独立した回線３７，３８毎に接続した通信装置２１，２２のいずれか一方が異常により電文を送信できなくなった場合でも、監視装置１０はいずれか一方から電文を受信して相互に電文を補完するため、通信システム内の情報を漏れなく収集することができる。その結果、通信システム全体の信頼性をさらに向上させることができる。
【符号の説明】
【００４６】
１  監視システム、１０，１１，１２  監視装置、２０  通信ネットワーク、２１，２１´，２２  通信装置（被監視装置）、２５  ネットワーク、３１，３２，３３，３４，３５，３６，３７，３８  回線、１０１  通信部、１０１ａ  電文受信部、１０１ｂ  送信部、１０２  データベース、１０３  制御部。
【図１】
2011114366.tif 000003
【図２】
2011114366.tif 000004
【図３】
2011114366.tif 000005
【図４】
2011114366.tif 000006
【図５】
2011114366.tif 000007